(57)【要約】【課題】  マイク部を備えた防水性の電子機器を提供することにある。【解決手段】  電子機器は、本体部と、前記本体部の一面側に取り付けられる蓋体と、前記蓋体が前記本体部に取り付けられている状態で、前記蓋体の側面に沿って前記本体部から立設する収音部と、を備え、前記収音部は、マイクと、前記マイクが収容される収容部と、前記収容部を固定する固定部を備えて構成されている。【選択図】図1
2014093573.tif 000002
【特許請求の範囲】
【請求項１】
本体部と、
前記本体部の一面側に取り付けられる蓋体と、
前記蓋体が前記本体部に取り付けられている状態で、前記蓋体の側面に沿って前記本体部から立設する収音部と、
を備え、
前記収音部は、
マイクと、前記マイクが収容される収容部と、前記収容部を固定する固定部を備えることを特徴とする電子機器。
【請求項２】
前記収音部は、前記蓋体の側面にと互いに対向する傾斜側面を有することを特徴とする請求項１記載の電子機器。
【請求項３】
前記収容部は前記固定部に嵌合されており、
前記固定部は前記蓋体の側面に対向する第１の傾斜側面を有し、
前記収容部は前記蓋体の側面に対向する第２の傾斜側面を有し、
前記収音部の前記傾斜側面は、前記第１の傾斜側面と前記第２の傾斜側面とで形成されていることを特徴とする請求項２記載の電子機器。
【請求項４】
前記収音部の前記傾斜側面は、前記固定部又は前記収容部のいずれか一方で形成されていることを特徴とする請求項２記載の電子機器。
【発明の詳細な説明】
【技術分野】
【０００１】
本発明は、電子機器に係り、特に防水性を有した電子機器に関する。
【背景技術】
【０００２】
最近では、防水性の有さない電子機器を、通常使用を想定されていない浴室，洗面所，又は台所などの水を扱う場所の棚などに載置されて使用されることが望まれている。上述防水性の有さない電子機器使用するための防水性を有する電子機器が特許文献１に記載にされている。
【０００３】
この電子機器は、携帯機器を収容する箱状の本体部と、本体部の一面側を覆いその内側への水の浸入を防止する柔軟なシール部材と、シール部材を間に挟んで本体部に取り付けられる蓋体と、携帯機器からのステレオ再生を行うスピーカと、を有する電子機器である。
【先行技術文献】
【特許文献】
【０００４】
【特許文献１】特開２０１０−０９８１６１号公報
【発明の概要】
【発明が解決しようとする課題】
【０００５】
ところで、現在、携帯機器（携帯電話等）は、通話を行うことや音声認識により携帯機器を操作することが可能となっており、上記電子機器内に携帯機器を収納した際にも、マイク機能が使えることが所望されている。
【０００６】
しかしながら、電子機器に、単にマイクを設置しただけでは、充分な防水機能を得ることができない。
【０００７】
そこで、本発明が解決しようとする課題は、マイク部を備えた防水性の電子機器を提供することにある。
【課題を解決するための手段】
【０００８】
上記の課題を解決するために、本発明は以下の構成を有する。
本体部と、
前記本体部の一面側に取り付けられる蓋体と、
前記蓋体が前記本体部に取り付けられている状態で、前記蓋体の側面に沿って前記本体部から立設する収音部と、
を備え、
前記収音部は、
マイクと、前記マイクが収容される収容部と、前記収容部を固定する固定部を備えることを特徴とする電子機器である。
【発明の効果】
【０００９】
本発明によれば、マイク部を備えた防水性の電子機器を得られる、という効果が得られる。
【図面の簡単な説明】
【００１０】
【図１】本発明における電子機器５２の閉状態を説明するための第１の斜視図である。
【図２】電子機器５２の閉状態を説明するための第２の斜視図である。
【図３】電子機器５２の開状態を説明するための斜視図である。
【図４】電子機器５２の収容部８６を説明するための斜視図である。
【図５】電子機器５２の収音部８４を説明するための分解図である。
【発明を実施するための形態】
【００１１】
本発明の実施の形態に係る容器，筐体構造，及び電子機器を、好ましい実施例を図１〜図５を参照して説明する。
＜実施例＞
本例について図１〜図５を参照して説明する。
この実施例で説明する機器は筐体を含む電子機器５２である。
この電子機器５２は、具体的には、携帯音楽再生、携帯音楽録音装置、携帯画像表示装置、携帯撮影装置、携帯電話、などの携帯機器を、防滴又は防沫状態で保持可能とし、保持した携帯装置からの音声出力を、内蔵したスピーカによって再生することができ、さらにマイクを備え、内部に保持した携帯装置への音声入力が可能となる音声再生装置である。
また、電子機器５２は、浴室，洗面所，又は台所などの水を扱う場所の棚などに載置されて使用されることが想定されたものである。
以下の説明における上下左右前後の各方向は、図１及び図２に矢印で示された方向で規定する。この各方向は、電子機器５２の使用状態の姿勢において、規定したものである。
【００１２】
図1は、電子機器５２を前方やや右上方から見た斜視図であり、図２は、電子機器５２を後方やや左上方から見た斜視図であり、図３は携帯装置の収容のために蓋体１２を開けた状態を示す斜視図であり、本体部１１に対して蓋体１２を開状態とした図である。図３ではシール部材１４は不図示としてある。
【００１３】
図１〜図３に示されるように、電子機器５２は、筐体構造Ｋ２として、電子回路部ＤＢを内部に収容した本体部１１と、開口部１２ａを有して枠状に形成され、フラップ１３ａが回動可能として複数箇所に設けられると共に本体部１１に対して矢印ＤＲ１２方向の回動により開閉するよう連結された蓋体１２と、蓋体１２を閉じた状態で本体部１１との間に介装され、蓋体１２の開口部１２ａを内側から塞ぐシート部１４ａを有するシール部材１４と、を備えて構成されている。
以下の説明において、蓋体１２を本体部１１に対して閉じた状態を閉状態と称し、開けた状態を開状態と称する。
【００１４】
本体部１１は、前方面側を載置部１１ｂとする箱状に形成されており、棚等への載置姿勢において、載置部１１ｂが、上方に向かうに従って後方側に傾斜するように形成されている。
そのため、電子機器５２は、より安定して載置されるように、下方側に向かうに従って、前後方向の幅が広がる外形形状とされている。（図２参照）。
【００１５】
蓋体１２に取り付けられたフラップ１３ａは、蓋体１２の閉状態において本体部１１側に回動させた際に、本体部１１側に設けられた係止部１１ａに先端部が係止されるようになっている。この係止により、蓋体１２の本体部１１に対する蓋締めがなされる。
蓋体１２は、開口部１２ａの周囲に、本体部１１側に向け突出した周壁部１２ｂが形成されている。また、周壁部１２ｂの外側には、周壁部１２ｂを取り囲む周リブ１２ｄが形成されている。
【００１６】
詳細は後述するが、シール部材１４は、周壁部１２ｂの外縁側の側面に当接し、かつ周リブ１２ｄに係合して取り付けられようになっている。また、取り付けられた状態で開口部１２ａがシート部１４ａで塞がれるようになっている。
【００１７】
本体部１及び蓋体１２は、熱可塑性樹脂の射出成形により形成されている。熱可塑性樹脂の例は、ＡＢＳ（アクリロニトリル・ブタジエン・スチレン）樹脂、ＰＣ（ポリカーボネート）樹脂である。
シール部材１４は、ゴム（例えばシリコーンゴム）により形成され、開口部１２ａを塞ぐシート部１４ａは、外部から内部が透けて見えるように、即ち、シート部１４ａの一方側から他方側が透けて見えるようにその材質の仕様と厚さとが設定されている。
【００１８】
この筐体構造Ｋ２は、蓋体１２の閉状態において、シール部材１４のシート部１４ａと対向する載置部１１ｂとの間の空間Ｖ２に、携帯機器ＫＳを、シール部材１４が弾性的に延びることによって挟んで保持することが可能となっている。すなわち、シール部材１４と載置部１１ｂとの間の空間Ｖ２は、間に携帯機器ＫＳが挟持された際に、シート部１４ａの伸張により体積が拡張する。
シール部材１４は蓋体１２に対して強嵌合で装着されており、閉状態で、フラップ係止部４の係止によって蓋体１２がシール部材１４と共に本体部１１に押し付けられるので、空間Ｖ２は、外部から水が浸入しない水に対する封止状態になっている。このように、電子機器５２は、高い防水性を有する。
【００１９】
本体部１の載置部１１ｂには、種々の携帯機器ＫＳ(不図示）が載置され得るように、載置可能とした種々の携帯機器ＫＳの内の最大の装置の投影形状よりも大きな形状で形成されている。
載置された携帯機器ＫＳは、蓋体１２の閉状態においてシール部材１４によって弾性的に載置部１１ｂ側に押し付けられ、これにより空間内に保持される。
【００２０】
図３に示されるように、載置部１１ｂには、保持された携帯機器ＫＳに接続するためのプラグ付きコード８１が設けられている。このプラグ付きコード８１は、不使用時には載置部１１ｂに形成された溝１１ｂ１内に収められ、使用時に引き出せるようになっており、携帯機器ＫＳに接続される。このプラグ付きコード８１が携帯機器ＫＳに接続させることにより、図示してはいないが、本体部１１内に収納されているスピーカＳＰやマイク８４Ｓと電子回路部ＤＢとが電気的に接続され、電子回路部ＤＢとスピーカＳＰやマイク８４Ｓとが電気信号のやり取りを行うことが可能となる。具体的には、接続携帯機器ＫＳが再生させた音声がスピーカＳＰから発せられ、またマイク８４Ｓで集音された音声が携帯機器ＫＳに入力される。
また、載置部１１ｂには、指などにより開閉可能な電池蓋８２が設けられている。この電池蓋８２は、本体部１内に設けられ電子機器５２および電子機器５２の電子回路部ＤＢの電源となる電池を収容する電池収容部を８３塞ぐ蓋であり、電池交換等の際に使用者により開閉される。すなわち、この電池からの電源は電子回路部ＤＢに電力を供給し、マイク８４ＳやスピーカＳＰが駆動することが可能となる。
【００２１】
載置部１１ｂにおける周縁部には、概ね全周に渡って主リブ１１ｃが立設されている。主リブ１１ｃの高さは、図７において、上方側と、左右側方の下方側を除いた範囲が高く、下方側と左右側方の下方側が低く形成されている。
また、主リブ１１ｃの内側には、左右側部の中央部分を除いて副リブ１１ｄが上下で１つずつ形成されている。
【００２２】
本体部１１の内部には電子部品であるスピーカＳＰが一対配設されている。この一対のスピーカＳＰは、電子回路部ＤＢの内の音声回路から供給された音声信号を音声として出力する。
そして、一対のスピーカＳＰから出力された音声は、本体部１１の後面に設けられた、複数の小孔の集合領域である放音部１１ｅを通してそれぞれ外部に出力される。
本体部１１の天面１１ｆには、スピーカＳＰから出力される音声の音量や音質を調節するボタンなどの操作部ＶＮが設けられている。
本体部１１の左上の隅部には、三角柱状の収音部８４が設けられている。
【００２３】
次に、収音部８４について図４〜図５を主に参照して説明する。図４は、収容部８６の斜視図であり、図５は、収音部８４の分解図である。
【００２４】
収音部８４は、マイク本体８４Ｓ、マイク本体８４Ｓを保持する収容部８６と、収容部８６を収容するための固定部１１ｋと、により構成されている。固定部１１ｋは、本体部１１から立設されている。本体部１１と一体的に形成されている（図５では本体部１１から切り取った一部の状態で示されている）。
固定部１１Ｋは、収容部８６を収容するポケット部１１ｋ１、ポケット部１１ｋ１を規定する外壁部１１ｋｃと傾斜側面部１１Ｋｓ、のちに後述するマイクフォルダ８８を固定する橋部１１ｋｂからなる。
【００２５】
収容部８６は、マイク本体８４ｓと、マイク本体８４ｓを収容するマイク収容部８８ａを一端側に有するマイクフォルダ８８と、マイク本体８４ｓを収容したマイクフォルダ８８に対して被せるように装着されるカバー９０と、により構成されている。
【００２６】
マイクフォルダ８８は、前述のマイク収容部８８ａ、ポケット部１１ｋ１と接地する外周部８８ｂｃ、カバー９０の前面部９０ｃと接地する立面部８８ｃ、カバー９０の凸部９０ｉと嵌合する嵌合部８８ｉ、マイク本体８４ｓから延出するコード８４ｓ１を通す孔８８ｂｈを有するベース８８ｂ、ベース８８ｂを構成する縁部８８ｂａと縁部８８ｂａの端に配置された壁部８８ｂｄを有する。
【００２７】
マイク収容部８８ａには、マイク本体８４ｓから延出するコード８４ｓ１をかろうじて通すだけの孔（図示せず）が設けられており、コード８４ｓ１は、孔８８ｂｈを通して本体部１１側に引き出され、電子回路部ＤＢに電気的に接続される。
【００２８】
カバー９０は、収音をするための収音孔９０ｈ、斜面９０ｓ、凸部９０ｉ、前面部９０ｃ、後面部９０ｂｃを有する。
【００２９】
収音孔９０ｈはマイク本体８４ｓに対応した位置に形成されている。
収音孔９０ｈは、収容部８６が固定部１１ｋに収められた状態で、電子機器５２の前方側に開口するようになっており、電子機器５２の前方側の裏側には防水用のフィルタ（図示せず）が設けられている。
【００３０】
次に組み立て工程を説明する。
まず、マイク本体８４ｓから延出するコード８４ｓ１を孔８８ｂｈ挿入させ、マイク収容部８８ａにマイク本体８４ｓを収納させる。マイク収容部８８ａとマイク本体８４ｓは略同一の大きさとなっており、嵌合することでマイク本体８４ｓは固定される。
【００３１】
次に、マイク本体８４ｓが収容されたマイクフォルダ８８に、カバー９０を嵌合させる。マイクフォルダ８８の外周部８８ｂｃ上部の凹みと後面部９０ｂｃの厚みがほぼ同一であり、また、マイクフォルダ８８の縁部８８ｂａの幅と前面部９０ｃの厚みがそれぞれ同一であるため、嵌合部８８ｉに凸部９０ｉが挿入されることで、図４のような形状となる。後面部９０ｂｃと外周部８８ｂｃ、前面部９０ｃと壁部８８ｂｄが、それぞれ同一の面となる様に各部位が設計されることにより、マイク本体８４ｓ、マイクフォルダ８８とカバー９０（収容部８６）は同一面をもつ部品となる。（図４参照）。
【００３２】
マイク本体８４ｓが組み込まれたマイクフォルダ８８とカバー９０は、凸部９０ｉとベース８８ｂが傾斜側面部１１Ｋｓの間の溝にはめ込まれるように設置され、収容部８６は固定部１１Ｋに固定される。このとき、傾斜側面部１１Ｋｓと凸部９０ｉは同一平面（傾斜面）を形成し、ベース８８ｂは橋部１１ｋｂの下の
傾斜側面部１１Ｋｓの間の溝から突出するように配置されている。
このように、寸法が合ったマイクフォルダ８８とカバー９０で収容部８６が構成され、さらに固定部１１Ｋのポケット部１１ｋ１と略同一の大きさの収容部８６に嵌合されることにより、防水性が保たれる。
【００３３】
収音部８４は、マイク本体８４ｓを包む部材として、マイクフォルダ８８，カバー９０，及び固定部１１ｋの三つの部材が存在している。すなわち、収音部８４は三重構造を有している。上述の構成の収容部８６を固定部１１ｋのポケット部１１Ｋ1に収め、引き出されたコード８４ｓ１に対し所定の配線処理を施して収音部８４の本体部１１への組み込みが完了する。（図３参照）。
【００３４】
マイクフォルダ８８及びカバー９０は、それぞれ制振性材料で形成されている。具体例としては、ゴム、エラストマである。
【００３５】
収音部８４は、本体部１１より張出しており、スピーカＳＰが納まっている本体部１１とは同一筐体内には、納めされていない。スピーカＳＰとマイク８４ｓが同一筐体内に納められるとスピーカＳＰの振動により、筐体が箱鳴りを生じ、マイク８４ｓに振動が伝わり、トークバックが生じてしまうからである。ここでの箱鳴りというのは本体部１１自身が通常のスピーカのキャビネットの役割をしてしまうことである。このことにより、トークバックの現象を抑え、使用感のよい電子機器５２を提供することができる。
【００３６】
また、収音部８４は、三角柱状をしていることから、振動に対して抑制する効果がある。収音部８４の蓋部１２と対向する傾斜面は、蓋体１２側の傾斜面との間に隙間を有している。従って、電子機器５２の使用時には、収音部８４の傾斜面に対向する蓋体１２の傾斜面１２ｓを伝って、水が蓋体１２の側面に流れ、収音部８４周辺に水がたまることを防いでいる。
【００３７】
また、カバー９０は斜面９０ｓを有しており、万が一、水が収音部８４に掛かったとしても、斜面９０ｓ、収音部８４の傾斜面により、収音部８４と蓋体１２との隙間に水が流れることが可能であり、防水性の高いマイク付電子機器５２を得ることができる。
【００３８】
また、収音部８４と蓋体１２はそれぞれ傾斜面を有し、それぞれの傾斜面は隙間を有しているため、携帯機器ＫＳを電子機器５２に装填する際に蓋体１２の回動動作によって蓋体１２が収音部８４に当たることなく、開閉できるため、マイク８４ｓが収音部８４に接触する際に生じる衝撃音のような大きい音を集音することがない。
【００３９】
また、万が一落下等で電子機器５２を落とした場合でも、収音部８４のみが本体部１１から突出している訳ではなく、マイク集音面と蓋部１２の外縁とが本実施例では同一となっているため、落下の衝撃を集音部８４のみが受ける訳ではかく、マイク８４ｓの破損する確立を減少させることが可能である。
マイク集音面（収容部８６）は、蓋部１２の突出した面より低く（本体部側）に設置されていてもよい。ただし、スピーカＳＰとマイク８４ｓとの距離をある程度保つことも必要であるため、適当な位置とすることが必要である。
【００４０】
今回の実施例では、収音部８４を左上部に設置した例を説明したが、配置位置は右上に限られるわけではなく、右上などでもよい。
電子機器５２は、収音部８４のマイク本体８４ｓから出力された音声信号を、収容した携帯装置ＫＳに対して供給する、あるいは、外部出力端子（図示せず）を介して外部へ出力するなど、の処理を行うようになっている。
【００４１】
なお、本発明は、本実施例の説明のための図面における縮尺に限定されるものではなく、図面は本発明の実施例を説明するためのものである。従って、それぞれ、比率の変更等も発明の要旨を逸脱しない範囲において容認されるものである。
また、本発明の各実施例及び変形例は、上述した構成に限定されるものではなく、本発明の要旨を逸脱しない範囲において別の変形例としてもよいのは言うまでもない。
【符号の説明】
【００４２】
１１  本体部
１１ａ  係止部、    １１ｂ  載置部、    １１ｂ１  溝
１１ｃ  主リブ、    １１ｄ  副リブ、    １１ｄ１  不連続部
１１ｅ  放音部、    １１ｆ  天面、    １１ｇ  底面、    １１ｈ  脚部
１１ｊ  軸凸部、    １１ｋ  固定部
１１ｋ１  収容部
１２  蓋体
１２ａ  開口部、    １２ｂ  周壁部、    １２ｃ  切り欠き部
１２ｄ  周リブ、    １２ｅ  腕部、    １２ｅ１  孔
１３ａ  フラップ
１４  シール部材
１４ａ  平坦部、    １４ｂ  突出部、    １４ｂ１  張り出し部
１４ｂ２  段部、    １４ｂ３  縮幅部、    １４ｂ４  先端面
１４ｋ  基部、    １４ｋ１  辺部、    １４ｋ２  周溝部
５１  装置、    ５１Ａ  装置（容器）、    ５２  電子機器
８１  プラグ付きコード、    ８２  電池蓋、    ８３  電池収容部
８４  収音部
８８  マイクフォルダ    ８８ａ  マイク収容部、    ９０  カバー
９０ｈ  収音孔、    ８６  収容部、    ８４ｓ  マイク本体
８４ｓ１  コード
ＤＢ  電子回路部
ＫＪ  回動軸部
Ｋ１，Ｋ２  筐体構造
ＳＰ  スピーカ
ＶＮ  操作部
【図１】
2014093573.tif 000003
【図２】
2014093573.tif 000004
【図３】
2014093573.tif 000005
【図４】
2014093573.tif 000006
【図５】
2014093573.tif 000007